(57)【要約】【課題】本発明は、手走査型の原稿読み取り装置において、撮像部の組付性を向上させることを目的とする。【解決手段】原稿読み取り装置は、ハウジングと、ハウジングの内部に配置され、原稿を読み取るための撮像部を有するモジュール基板と、ハウジングの内部に配置され、撮像部と原稿との距離を所定値に維持した状態でモジュール基板を支持するモジュールホルダと、を備える。【選択図】図３
2010154450.tif 000002
【特許請求の範囲】
【請求項１】
原稿読み取り装置であって、
ハウジングと、
前記ハウジングの内部に配置され、原稿を読み取るための撮像部を有するモジュール基板と、
前記ハウジングの内部に配置され、前記撮像部と前記原稿との距離を所定値に維持した状態で前記モジュール基板を支持するモジュールホルダと、を備える原稿読み取り装置。
【請求項２】
請求項１に記載の原稿読み取り装置において、
前記モジュールホルダは、前記撮像部を配置するために台座状に形成された台座部を備え、前記撮像部は、前記台座部に支持されている原稿読み取り装置。
【請求項３】
請求項２に記載の原稿読み取り装置において、
前記モジュール基板は、長方形状の外形を備え、長手方向において、前記台座部の形状に沿った形状を備える原稿読み取り装置。
【請求項４】
請求項１ないし請求項３のいずれかに記載の原稿読み取り装置において、
前記モジュール基板は、前記台座部の形状に対応した形状を有するフラップ部を備え、
前記撮像部は、前記フラップ部の先端部に配置されている原稿読み取り装置。
【請求項５】
請求項４に記載の原稿読み取り装置において、
前記台座部は、前記フラップ部を固定するための固定部を備えている原稿読み取り装置。
【請求項６】
請求項１ないし請求項５のいずれかに記載の原稿読み取り装置はさらに、
原稿読み取り装置の位置を検出するための位置検出部を備える原稿読み取り装置。
【請求項７】
請求項１ないし請求項６のいずれかに記載の原稿読み取り装置はさらに、
前記撮像部を押圧するための押圧部を備える原稿読み取り装置。
【請求項８】
請求項７に記載の原稿読み取り装置において、
前記ハウジングは、底部の下側ハウジング部材と、前記下側ハウジング部材の上部に配置される上側ハウジング部材とを備え、
前記押圧部は、前記上側ハウジング部材の前記下側ハウジング部材と対向する面に配置されている原稿読み取り装置。
【発明の詳細な説明】
【技術分野】
【０００１】
本発明は、原稿読み取り装置に関する。
【背景技術】
【０００２】
従来から、ハンドスキャナやマウススキャナなど、手走査型の原稿読み取り装置が知られている（特許文献１）。手走査型の原稿読み取り装置では、ＣＣＤ等を含む撮像部と、読み取る原稿との距離を所定値とする必要があるため、撮像部を直接、ハウジングにネジ等により固定していた。
【０００３】
【特許文献１】特開平１１−３４５０７４号公報
【発明の開示】
【発明が解決しようとする課題】
【０００４】
しかし、手走査型の原稿読み取り装置は操作性の観点から小型のものが多く、ハウジングの内部に直接、撮像部を組付けることは容易でなかった。
【０００５】
本発明は、上記した従来の課題の少なくとも一部を解決するためになされた発明であり、手走査型の原稿読み取り装置において、撮像部の組付性を向上させることを目的とする。
【課題を解決するための手段】
【０００６】
上記課題の少なくとも一部を解決するために本願発明は以下の態様を採る。
【０００７】
第１の態様は、原稿読み取り装置を提供する。本発明の第１の態様に係る原稿読み取り装置は、ハウジングと、前記ハウジングの内部に配置され、原稿を読み取るための撮像部を有するモジュール基板と、前記ハウジングの内部に配置され、前記撮像部と前記原稿との距離を所定値に維持した状態で前記モジュール基板を支持するモジュールホルダと、を備える。
【０００８】
第１の態様に係る原稿読み取り装置によれば、撮像部と原稿との距離を所定値に維持した状態でモジュール基板を支持するモジュールホルダを備えているため、撮像部の組付性を向上させることができる。
【０００９】
第１の態様に係る原稿読み取り装置において、前記モジュールホルダは、前記撮像部を配置するために台座状に形成された台座部を備え、前記撮像部は、前記台座部に支持されていてもよい。この場合、撮像部は、台座部により原稿との距離を所定値に維持されるため、良好に原稿を読み取ることができる。
【００１０】
第１の態様に係る原稿読み取り装置において、前記モジュール基板は、長方形状の外形を備え、長手方向において、前記台座部の形状に沿った形状を備えていてもよい。この場合、モジュール基板をモジュールホルダに良好に固定することができる。
【００１１】
第１の態様に係る原稿読み取り装置において、前記モジュール基板は、前記台座部の形状に対応した形状を有するフラップ部を備え、前記撮像部は、前記フラップ部の先端部に配置されていてもよい。この場合、撮像部がフラップ部の先端部に配置されることで、撮像部を台座部に良好に固定することができる。
【００１２】
第１の態様に係る原稿読み取り装置において、前記台座部は、前記フラップ部を固定するための固定部を備えていてもよい。この場合、フラップ部は固定部により固定されることで良好に原稿を読み取ることができる。
【００１３】
第１の態様に係る原稿読み取り装置はさらに、原稿読み取り装置の位置を検出するための位置検出部を備えていてもよい。この場合、原稿読み取り装置は、ポインティングデバイスとしても機能することができる。
【００１４】
第１の態様に係る原稿読み取り装置はさらに、前記撮像部を押圧するための押圧部を備えていてもよい。この場合、撮像部は、押圧部により押圧された状態で原稿を読み取るため良好に原稿を読み取ることができる。
【００１５】
第１の態様に係る原稿読み取り装置において、前記ハウジングは、底部の下側ハウジング部材と、前記下側ハウジング部材の上部に配置される上側ハウジング部材とを備え、前記押圧部は、前記上側ハウジング部材の前記下側ハウジング部材と対向する面に配置されていてもよい。この場合、押圧部は、上側ハウジング部材に配置されているため、良好に撮像部を押圧することができる。
【００１６】
本発明は、種々の態様で実現することが可能であり、ハンドスキャナやマウススキャナのほか、例えば、ハンドスキャナを一部に備えたコピー装置やファクシミリ装置などにより実現することができる。
【発明を実施するための最良の形態】
【００１７】
以下、本発明に係る原稿読み取り装置の一態様であるマウススキャナについて、図面を参照しつつ、実施例に基づいて説明する。
【００１８】
Ａ．第１の実施例：
Ａ１．マウススキャナの構成：
図１は、本発明の第１の実施例におけるマウススキャナの上側の外観を例示した説明図である。図２は、本発明の第１の実施例におけるマウススキャナの下側の外観を例示した説明図である。マウススキャナ１００は、読み取り対象物（原稿）を光学的に読み取り、ケーブル２００を介して接続されている図示しないコンピュータに画像データを出力する画像読み取り装置として機能するほか、コンピュータの操作に用いられるポインティングデバイスとしても機能する。マウススキャナ１００は、いわゆる手走査型のスキャナであり、手動により装置自体を読み取り対象物（原稿）上で走査させることにより原稿を読み取る。マウススキャナ１００は、上側ハウジング部材１１０と、下側ハウジング部材１２０と、ホイール１３１と、読取ボタン１３２と、透過板１４０と、前方フット部１５１と、後方フット部１５２を備えている。
【００１９】
上側ハウジング部材１１０は、略長板形状の外形を備えた蓋部材であり、下側ハウジング部材１２０の上部に配置されている。上側ハウジング部材１１０と下側ハウジング部材１２０は、マウススキャナ１００のハウジングを形成している。上側ハウジング部材１１０は、短辺方向の略中央にホイール用開口部１１１を備え、ハウジングの内部に配置されているホイール１３１の一部がホイール用開口部１１１から露出している。
【００２０】
下側ハウジング部材１２０は、上部が開放された略函形状に形成され、略長方形状の底部１２０ａと、底部１２０ａと連接する長辺側側面部１２０ｂと、短辺側側面部１２０ｃと、を備える。下側ハウジング部材１２０は、短辺側側面部１２０ｃにコネクタ２０１が接続されるための開口部を備えている。以後、本実施例において、コネクタ２０１が接続されるための開口部を備えている一方の短辺側側面部１２０ｃ側をマウススキャナ１００の「前方側」とも呼び、他方の短辺側側面部１２０ｃ側を「後方側」とも呼ぶ。下側ハウジング部材１２０は、底部１２０ａの略中央に矩形の原稿読取用開口部１２１を備えている。また、下側ハウジング部材１２０は、底部１２０ａの前方側の短辺と原稿読取用開口部１２１との間に、前方側位置検出用開口部１２２を備え、後方側の短辺と原稿読取用開口部１２１との間に、後方側位置検出用開口部１２３を備える。
【００２１】
ホイール１３１は、マウススキャナ１００をポインティングデバイスとして用いる際に、コンピュータに表示される画像のスクロールや選択等をおこなうために用いられる。読取ボタン１３２は、マウススキャナ１００によりスキャニングをおこなう際に押されるボタンである。透過板１４０は、略矩形形状の平板であり、原稿読取用開口部１２１を覆うように配置されている。透過板１４０は、例えば、透明なプラスチック板やガラス板により形成されている。
【００２２】
前方フット部１５１および後方フット部１５２は、マウススキャナ１００と原稿との摩擦を低減させるための滑走用部材であり、略楕円形状の平面と台形の断面を有し、例えば、プラスチックやウレタン等により形成されている。本実施例では、前方フット部１５１は、底部１２０ａの前方側の短辺と前方側位置検出用開口部１２２との間に配置され、後方フット部１５２は、底部１２０ａの後方側の短辺と後方側位置検出用開口部１２３との間に配置されている。
【００２３】
図３は、マウススキャナの内部構成を例示した説明図である。マウススキャナ１００は、内部に、検出ユニット１３０と、モジュール基板１６０と、モジュールホルダ１７０と、ＬＥＤモジュール１８０と、反射鏡１７１と、前方側位置検出モジュール１９１と、後方側位置検出モジュール１９２とを備えている。以後、本実施例において、検出ユニット１３０、モジュール基板１６０、モジュールホルダ１７０、ＬＥＤモジュール１８０、反射鏡１７１、前方側位置検出モジュール１９１および後方側位置検出モジュール１９２において、上側ハウジング部材１１０と面する側を「上側」とも呼び、下側ハウジング部材１２０の底部１２０ａと面する側を「下側」とも呼ぶ。
【００２４】
検出ユニット１３０は、ホイール１３１と接続され、ホイール１３１の回転量を検出して電気信号に変換する。また、読取ボタン１３２と接触し、読取ボタン１３２の押圧を検出する。前方側位置検出モジュール１９１および後方側位置検出モジュール１９２は、スキャナとして読み取った画像の相対的な位置関係や、ポインティングデバイスとしてポインタの移動量を決定するために、マウススキャナ１００と、原稿若しくはマウスパット等との相対的な位置や向きを検出する。
【００２５】
図４は、モジュール基板の外観を例示した説明図である。図４（ａ）は、モジュール基板１６０の横側の外観を例示している。モジュール基板１６０は、中央部が山形に形成された長板状のフレキシブルプリント基板（ＦＰＣ：Flexible printed circuits）により形成されている。この山形形状は、平らな頂部１６０ａと、頂部１６０ａの両側の斜部１６０ｂにより構成され、後述するモジュールホルダ１７０の台座部１７２の形状と一致するように形成されている。
【００２６】
図４（ｂ）は、モジュール基板１６０の上側の外観を例示している。モジュール基板１６０は、後述するモジュールホルダ１７０の台座部１７２の形状に対応した形状に形成されたフラップ部１６１ｂを備えている。本実施例では、フラップ部１６１ｂは、モジュール基板１６０は、頂部１６０ａと斜部１６０ｂの一部がコの字型に切り取られて形成されている。フラップ部１６１ｂは、斜部１６０ｂに形成された基端部で折り曲げられ、先端部がモジュール基板１６０の長手方向に沿って延伸した形状を有している。
【００２７】
モジュール基板１６０は、撮像部１６２と、接続部１６３と、固定用孔１６４と、接続端部１６５と、を備えている。撮像部１６２は、例えばＣＣＤやＣＭＯＳ撮像素子といったイメージセンサであり、原稿に照射された光の反射光を受光し、受光の強度に応じた画像信号を出力する。撮像部１６２は、フラップ部１６１ｂの先端部の下面に、下向きに配置されている。接続部１６３は、ケーブル２００のコネクタ２０１が接続されるソケットである。固定用孔１６４は、モジュール基板１６０の複数箇所に配置され、後述するモジュールホルダ１７０にモジュール基板１６０を固定するために用いられる。接続端部１６５は、検出ユニット１３０、ＬＥＤモジュール１８０、前方側位置検出モジュール１９１および後方側位置検出モジュール１９２と、モジュール基板１６０とを接続するための端部であり、検出ユニット１３０が有するソケットに接続端部１６５ａが接続され、前方側位置検出モジュール１９１が有するソケットに接続端部１６５ｂが接続され、ＬＥＤモジュール１８０が有するソケットに接続端部１６５ｃが接続され、後方側位置検出モジュール１９２が有するソケットに接続端部１６５ｄが接続されている。
【００２８】
図５は、モジュールホルダとＬＥＤモジュールの外観を例示した説明図である。図６は、モジュールホルダの外観の一部を例示した説明図である。図７は、モジュールホルダの断面を例示した説明図である。モジュールホルダ１７０は、モジュール基板１６０や後述するＬＥＤモジュール１８０を支持するための支持部材であり、例えば、樹脂により形成されている。モジュールホルダ１７０は、略山形の断面形状を有する中空の台座部１７２と、台座部１７２の両側に形成され、モジュールホルダ１７０を下側ハウジング部材１２０に固定するための固定部１７８と、台座部１７２の下側に形成され、後述する反射鏡１７１を配置するための２つの脚部１７３と、を備えている。
【００２９】
台座部１７２は、図６に示すように、上部の中央に形成された孔部１７２ｈと、撮像部１６２を支持するための撮像部支持部１７２ｍと、フラップ部１６１ｂの先端側を支持するためのフラップ支持部１７２ｓと、フラップ部１６１ｂの先端側を固定するためのフック部１７２ｆと、フラップ部１６１ｂの後端側の移動を抑制するための凹部１７２ｔと、モジュール基板１６０を固定するための固定用孔１７２ｉとを備えている。フラップ支持部１７２ｓ、フック部１７２ｆ、および、凹部１７２ｔは、特許請求の範囲における「固定部」に該当する。
【００３０】
脚部１７３は、略板状に形成され、基端部が固定部１７８に接続され、先端部が基端部の下側に形成されている。２つの脚部１７３は、それぞれの主面が対向するように配置されている。２つの脚部１７３は、対向するそれぞれの主面上に反射鏡１７１が配置されている。
【００３１】
モジュールホルダ１７０は、上記のほかに、ＬＥＤモジュール１８０を支持するためのスライド部１７４と、係止部１７６と、を備えている。スライド部１７４は、台座部１７２の下側でＬＥＤモジュール１８０を支持するために用いられる。図７に示すように、スライド部１７４は、脚部１７３の基端部にそれぞれ配置されている。係止部１７６は、固定部１７８上に形成され、台座部１７２の下側で支持されているＬＥＤモジュール１８０を固定するために用いられる。
【００３２】
図８は、スライド部の形状を例示した説明図である。図８（ａ）は、図７のＢ−Ｂ断面を例示している。図８（ｂ）は、図７のＣ−Ｃ断面を例示している。図８（ａ）に示すように、スライド部１７４は、脚部１７３の主面上において、モジュールホルダの長手方向に直交する方向（以後「短手方向」と呼ぶ）に沿って延設されている。スライド部１７４の上側は、ＬＥＤモジュール１８０をスライドさせるため平面状に形成されている。スライド部１７４は、ＬＥＤモジュール１８０を係止するための係止部１７４ａを備えている。スライド部１７４は、係止部１７４ａの上下方向の移動を可能にするため、図８（ｂ）に示すように、脚部１７３に固定されていない可動部１７４ｂを備え、可動部１７４ｂの端部に係止部１７４ａが形成されている。モジュールホルダ１７０は、ＬＥＤモジュール１８０のスライド方向の端部にモジュールホルダ１７０と当接するための当接部１７５が形成されている。
【００３３】
ＬＥＤモジュール１８０は、略長方形の板状部材であり、表面と裏面を構成する主面１８０ａと、端面１８０ｂとを備えている。主面１８０ａの中央には、矩形形状の開口部１８１が形成されている。また、図５に示すように、ＬＥＤモジュール１８０は、表面の長手方向端部にソケット１８３を備えている。
【００３４】
図９は、ＬＥＤモジュール１８０の裏面の外観を例示した説明図である。図９に示すように、ＬＥＤモジュール１８０の裏面の長手方向端部には、短辺に沿ってＬＥＤ１８４が一列に配置されている。ＬＥＤモジュール１８０は、ソケット１８３を介して、モジュール基板１６０から電力の供給を断続的に受け、ＬＥＤ１８４を点灯、消灯させる。また、ＬＥＤモジュール１８０は、短辺の一部にそれぞれ切欠部１８２が形成されている。
【００３５】
Ａ２．ＬＥＤモジュールの組入方法：
モジュールホルダ１７０は、スライド部１７４上でスライドさせて組入れられたＬＥＤモジュール１８０を台座部１７２の下側で支持する。ここでは、ＬＥＤモジュール１８０のモジュールホルダ１７０への組入れ方法について説明する。図５に示すように、ＬＥＤモジュール１８０は、長辺を前後にした状態で、脚部１７３の対向する主面の間に挿入される。
【００３６】
図１０は、ＬＥＤモジュールのモジュールホルダへの組入れを説明するための説明図である。ＬＥＤモジュール１８０は、台座部１７２の下側とスライド部１７４のスライド面の間に挿入され、スライド部１７４上をスライドする。このとき、図１０（ａ）に示すように、係止部１７４ａは、ＬＥＤモジュール１８０と接触することにより押し下げられる。これにより、ＬＥＤモジュール１８０は、スライド部１７４に係止部１７４ａが形成されていてもスライド部１７４上をスライドすることができる。図１０（ｂ）（ｃ）に示すように、ＬＥＤモジュール１８０は、スライドにより当接部１７５と当接すると、係止部１７４ａ上には、ＬＥＤモジュール１８０の切欠部１８２が配置されるため、係止部１７４ａは、上方に移動し、ＬＥＤモジュール１８０を係止する。これにより、ＬＥＤモジュール１８０は、スライド方向と反対の方向への移動が抑制される。また、当接部１７５によりスライド方向への移動が抑制される。
【００３７】
図１１は、ＬＥＤモジュールを組入れた状態におけるモジュールホルダの断面を例示した説明図である。ＬＥＤモジュール１８０は、長手方向の両端部においてスライド部１７４により支持されているため、上下方向の移動は抑制される。また、ＬＥＤモジュール１８０は、両側の脚部１７３により、長手方向への移動が抑制されている。これにより、モジュールホルダ１７０に組入れられたＬＥＤモジュール１８０は、開口部１８１が孔部１７２ｈの鉛直下となる位置で固定されている。
【００３８】
図１２は、ＬＥＤモジュールを組入れた状態におけるモジュールホルダの上側の外観を例示した説明図である。モジュールホルダ１７０は、台座部１７２と脚部１７３の間の切欠きにより、組入れられたＬＥＤモジュール１８０のソケット１８３が、モジュールホルダ１７０の上側に配置されるように形成されている。また、モジュールホルダ１７０の係止部１７６は、組入れられたＬＥＤモジュール１８０の端面１８０ｂと係止するように配置されている。
【００３９】
図１３は、ＬＥＤモジュールを組入れた状態におけるモジュールホルダの下側の外観を例示した説明図である。モジュールホルダ１７０に組入れられたＬＥＤモジュール１８０は、下から見たときに、孔部１７２ｈが開口部１８１の中心となる位置で固定されている。
【００４０】
Ａ３．モジュール基板１６０の固定方法：
図１４は、マウススキャナの断面の一部を例示した説明図である。モジュール基板１６０は、モジュールホルダ１７０の台座部１７２に、モジュール基板１６０の山形形状を嵌めあわせた状態で、モジュールホルダ１７０上に配置されている。このとき、撮像部１６２は、撮像部支持部１７２ｍにより支持され、孔部１７２ｈを介して下方向から受光が可能になっている。また、フラップ部１６１ｂは、先端側がフラップ支持部１７２ｓにより下方向の移動が抑制され、フック部１７２ｆにより短手方向と上方向の移動が抑制されている。さらに、後端側は、凹部１７２ｔにより、短手方向の移動が抑制されている。
【００４１】
モジュールホルダ１７０の固定用孔１７２ｉは、モジュール基板１６０の固定用孔１６４と対応した位置に形成されている。そのため、モジュールホルダ１７０上にモジュール基板１６０が配置された状態で、連通した固定用孔に、図示しないプラスチックの固定用ピンが貫通することにで、モジュールホルダ１７０とモジュール基板１６０とが固定されている。
【００４２】
Ａ４．マウススキャナの構造：
マウススキャナの構造について、簡単に説明する。図１５は、マウススキャナの断面を例示した説明図である。モジュールホルダ１７０は、脚部１７３により原稿読取用開口部１２１を跨ぐようにして下側ハウジング部材１２０の内側に配置されている。本実施例では、モジュールホルダ１７０の固定部１７８と下側ハウジング部材１２０がネジにより固定されているが、モジュールホルダ１７０と下側ハウジング部材１２０との固定方法には、特に限定はなく、ネジにより固定してもよいし、凹凸形状等の嵌合部により嵌め合わされてもよい。モジュールホルダ１７０が下側ハウジング部材１２０に固定されることにより、撮像部１６２は、マウススキャナ１００において、原稿との距離が所定値となる状態で固定される。
【００４３】
図１５に示すように、上側ハウジング部材１１０の下側の面には、下方向に突起した突起部１１３が形成されている。そのため、上側ハウジング部材１１０が下側ハウジング部材１２０の上部に配置されることにより、突起部１１３がクッション部１１４を介して撮像部１６２を上部から押し下げ、撮像部１６２をモジュールホルダ１７０に押しつけている。突起部１１３は、特許請求の範囲における「押圧部」に該当する。突起部１１３は、上側ハウジング部材１１０と一体的に形成されていてもよいし、上側ハウジング部材１１０と別に形成された部材であって、上側ハウジング部材１１０に取り付けられていてもよい。
【００４４】
マウススキャナ１００は、ＬＥＤモジュール１８０、脚部１７３および底部１２０ａにより空間部Ｓが形成されている。ＬＥＤ１８４および反射鏡１７１は、空間部Ｓの内部に配置されている。これにより、ＬＥＤ１８４から直接投射された光と、反射鏡１７１で反射した光により原稿を均質に照射することができる。
【００４５】
上記の構造により、ＬＥＤ１８４から投射された光は、一部は反射鏡１７１で反射し、一部は直接的に、原稿読取用開口部１２１を介して原稿を照射する。原稿に照射された光の反射光は、原稿読取用開口部１２１、開口部１８１、および、孔部１７２ｈを介して撮像部１６２により検出される。
【００４６】
以上説明した第１の実施例に係るマウススキャナ１００によれば、撮像部１６２と原稿との距離を所定値に維持した状態でモジュール基板１６０を支持するモジュールホルダ１７０を備えているため、撮像部１６２の組付性を向上させることができる。具体的には、従来、撮像部１６２は、ハウジングに直接固定されていたが、装置の形状等によりハウジングに直接、撮像部１６２を組付けることは容易でなかった。しかし、本発明によれば、モジュールホルダ１７０により、撮像部１６２を含むモジュール基板１６０を容易にモジュールホルダ１７０に取り付けることができ、また、モジュールホルダ１７０をハウジングに固定することにより、容易に撮像部１６２をハウジングに固定することができる。また、モジュールホルダ１７０により撮像部１６２と原稿との距離を所定値に維持することができる。
【００４７】
第１の実施例に係るマウススキャナ１００によれば、モジュールホルダ１７０は、撮像部１６２を配置するために台座部１７２を備え、撮像部１６２は、台座部１７２を介して原稿を読み取るため、良好に原稿を読み取ることができる。具体的には、台座部１７２は、上部に、撮像部支持部１７２ｍ、フラップ支持部１７２ｓ、フック部１７２ｆ、および、凹部１７２ｔ、を備えているため、撮像部１６２やモジュール基板１６０を良好に固定することができ、撮像部１６２のズレや振動を抑制することができる。また、台座部１７２は、山形の外形で中空に形成され、撮像部１６２は、台座部１７２の孔部１７２ｈから、中空部分を介して原稿と面するため、中空部分により原稿との距離が所定値に維持され、良好に原稿を読み取ることができる。
【００４８】
第１の実施例に係るマウススキャナ１００によれば、モジュール基板１６０は、長板状の外形を備え、長手方向において、モジュールホルダ１７０の台座部１７２の形状に沿った形状を備えているため、モジュール基板１６０をモジュールホルダ１７０に良好に固定することができる。具体的には、モジュール基板１６０の山形形状がモジュールホルダ１７０の台座部１７２の形状と一致することにより、モジュール基板１６０の長手方向の移動を抑制することができる。
【００４９】
第１の実施例に係るマウススキャナ１００によれば、撮像部１６２は、フラップ部１６１ｂの先端部に配置されているため、撮像部１６２を台座部１７２に良好に固定することができる。具体的には、フラップ部１６１ｂは、台座部１７２の形状に対応した形状を有しているため、フラップ部１６１ｂの先端部に配置されている撮像部１６２は、座部１７２の、フラップ支持部１７２ｓ、フック部１７２ｆ、および、凹部１７２ｔ、により良好に固定される。よって、モジュール基板１６０の他の部分にズレや振動が生じても、撮像部１６２への影響を抑制することができる。
【００５０】
第１の実施例に係るマウススキャナ１００によれば、台座部１７２は、フラップ部１６１ｂを固定するための固定部を備えているため良好に原稿を読み取ることができる。具体的には、フラップ支持部１７２ｓにより、フラップ部１６１ｂの先端側の下方向の移動が抑制され、フック部１７２ｆにより、短手方向と上方向の移動が抑制される。また、凹部１７２ｔにより、フラップ部１６１ｂの後端側の短手方向の移動が抑制される。これらにより、フラップ部１６１ｂは移動が抑制され、先端部に配置された撮像部１６２のズレや振動を抑制することができる。
【００５１】
第１の実施例に係るマウススキャナ１００によれば、前方側位置検出モジュール１９１および後方側位置検出モジュール１９２を備えているため、ポインティングデバイスとして機能することができる。
【００５２】
第１の実施例に係るマウススキャナ１００によれば、上側ハウジング部材１１０の下側の面には、突起部１１３が形成されているため、良好に原稿を読み取ることができる。具体的には、突起部１１３が撮像部１６２を上部から押し下げ、撮像部１６２をモジュールホルダ１７０に押しつけることで撮像部１６２のズレや振動を抑制するため、撮像部１６２は、良好に原稿を読み取ることができる。
【００５３】
Ｂ．変形例：
なお、この発明は上記の実施例や実施形態に限られるものではなく、その要旨を逸脱しない範囲において種々の態様において実施することが可能であり、例えば次のような変形も可能である。
【００５４】
Ｂ１．変形例１：
本実施例に係るマウススキャナ１００は、ポインティングデバイスとしての機能を有しているが、スキャニング機能のみを備えた原稿読み取り装置としても実現してもよい。この場合であっても、モジュールホルダ１７０を備えることにより、撮像部１６２の組付性の向上を図ることができる。
【００５５】
Ｂ２．変形例２：
本実施例に係るマウススキャナ１００は、上側ハウジング部材１１０に形成された突起部１１３により、撮像部１６２を押圧しているが、撮像部１６２を押圧するための押圧部は、上側ハウジング部材１１０に形成される部材に限られず、例えば、撮像部１６２の上部に架設された板状の押圧部材をねじ等で下側ハウジング部材１２０に固定することにより、撮像部１６２を押圧してもよい。この場合であっても、撮像部１６２のズレや振動を抑制でき、良好に原稿を読み取ることができる。また、本発明に係るマウススキャナ１００は、突起部１１３もしくは押圧部を備えない態様でも、実現することができる。
【００５６】
Ｂ３．変形例３：
本実施例に係るマウススキャナ１００は、撮像部１６２を配置するために、山形の外形を有した中空の台座部１７２が形成されているが、撮像部１６２と原稿との距離を所定値に維持することが可能であれば、これ以外の形状であってもよい。例えば、撮像部１６２を支持する部分が円筒形状や円柱形状などに形成されていてもよいし、複数の脚部により撮像部１６２を支持してもよい。
【００５７】
Ｂ４．変形例４：
本実施例に係るマウススキャナ１００は、モジュール基板１６０がコの字型に切り取られてフラップ部１６１ｂが形成されているが、モジュールホルダ１７０の台座部１７２の形状に対応した形状であれば、フラップ部１６１ｂの形状は、コの字型に限定されず、これ以外の形状であってもよい。例えば、撮像部１６２が配置される先端部のみ拡幅されていてもよいし、台座部１７２の固定部の形状に合わせた形状としてもよい。
【００５８】
Ｂ５．変形例５：
本実施例に係るマウススキャナ１００のハウジングは、略長板形状の外形を備えた上側ハウジング部材１１０と、上部が開放された略函形状に形成され、略長方形状の底部１２０ａを有している下側ハウジング部材１２０と、により形成されているが、ハウジングの形状には特に限定はなく、これ以外の形状であってもよい。例えば、ハウジングは、楕円形の平面を有していてもよいし。山形の断面を有していてもよい。また、下側ハウジング部材１２０が下蓋として機能してもよい。
【００５９】
Ｂ６．変形例６：
本実施例に係るマウススキャナ１００のハウジングは、上側ハウジング部材にホイール用開口部１１１を備え、ホイール１３１の一部が突出しているが、ホイール１３１を備えていなくてもよい。また、読取ボタン１３２は、マウススキャナ１００の側面部に配置されているが、これ以外の位置に配置されていてもよい。
【００６０】
Ｂ７．変形例７：
本実施例に係るマウススキャナ１００は、スライド部１７４が、脚部１７３の主面上において、モジュールホルダ１７０の短手方向に沿って延設されているが、ＬＥＤモジュール１８０がスライド可能な形状であれば、これ以外の形状であってもよく、例えば、スライド部１７４は、短手方向に断続的に配置されていてもよい。また、係止部１７４ａは、モジュールホルダ１７０に組入れられたＬＥＤモジュール１８０を固定できる形状であれば、実施例で示した形状以外の形状であってもよい。例えば、係止部１７４ａは凸形状に形成されていてもよいし、可動部１７４ｂを備えていなくてもよい。
【００６１】
Ｂ８．変形例８：
本発明は、ハンドスキャナやマウススキャナのほか、例えば、ハンドスキャナを一部に備えたコピー装置やファクシミリ装置などにより実現することができる。
【図面の簡単な説明】
【００６２】
【図１】本発明の第１の実施例におけるマウススキャナの上側の外観を例示した説明図である。
【図２】本発明の第１の実施例におけるマウススキャナの下側の外観を例示した説明図である。
【図３】マウススキャナの内部構成を例示した説明図である。
【図４】モジュール基板の外観を例示した説明図である。
【図５】モジュールホルダとＬＥＤモジュールの外観を例示した説明図である。
【図６】モジュールホルダの外観の一部を例示した説明図である。
【図７】モジュールホルダの断面を例示した説明図である。
【図８】スライド部の形状を例示した説明図である。
【図９】ＬＥＤモジュール１８０の裏面の外観を例示した説明図である。
【図１０】ＬＥＤモジュールのモジュールホルダへの組入れを説明するための説明図である。
【図１１】ＬＥＤモジュールを組入れた状態におけるモジュールホルダの断面を例示した説明図である。
【図１２】ＬＥＤモジュールを組入れた状態におけるモジュールホルダの上側の外観を例示した説明図である。
【図１３】ＬＥＤモジュールを組入れた状態におけるモジュールホルダの下側の外観を例示した説明図である。
【図１４】マウススキャナの断面の一部を例示した説明図である。
【図１５】マウススキャナの断面を例示した説明図である。
【符号の説明】
【００６３】
１００…マウススキャナ
１１０…上側ハウジング部材
１１３…突起部
１２０…下側ハウジング部材
１２１…原稿読取用開口部
１３０…検出ユニット
１４０…透過板
１５１…前方フット部
１５２…後方フット部
１６０…モジュール基板
１６１ｂ…フラップ部
１６２…撮像部
１６５…接続端部
１７０…モジュールホルダ
１７１…反射鏡
１７２…台座部
１７３…脚部
１７４…スライド部
１７６…係止部
１８０…ＬＥＤモジュール
２００…ケーブル
【図１】
2010154450.tif 000003
【図２】
2010154450.tif 000004
【図３】
2010154450.tif 000005
【図４】
2010154450.tif 000006
【図５】
2010154450.tif 000007
【図６】
2010154450.tif 000008
【図７】
2010154450.tif 000009
【図８】
2010154450.tif 000010
【図９】
2010154450.tif 000011
【図１０】
2010154450.tif 000012
【図１１】
2010154450.tif 000013
【図１２】
2010154450.tif 000014
【図１３】
2010154450.tif 000015
【図１４】
2010154450.tif 000016
【図１５】
2010154450.tif 000017